(57)【要約】【課題】　送信権終了直前にフレームが送信された場合でも、次に送信権を与えられた局装置は送信権を与えられている時間内にフレームの送信を行うことにある。【解決手段】　ダミー用タイマ部１４に、ある局装置２の送信権終了後で次の局装置５に送信権を移す前に、全ての局装置２、５に対してダミーフレームを送信する所定の時間Ｔ2 を設定し、そのときに全ての局装置２、５に対してダミーフレームを送信して、フレーム同士の衝突をなくし、次に送信権を持つＤ局装置５が送信権を得てから直ぐにフレームを送信できる。【選択図】　　　図２
2004007849.tif 000002
【特許請求の範囲】
【請求項１】
　ハブ装置に対して伝送路を介してスター状に複数の局装置を接続し、これら局装置のうち１つの局装置の送信権が終了すると、前記ハブ装置からダミーフレームを送信して予め定められた順番に従って前記送信権を次の前記局装置に移動するスター型データ伝送方法において、
　前記局装置の送信権終了後で次の前記局装置に送信権を移す前に、前記複数の局装置に対して前記送信権を与えない時間帯を設定することを特徴とするスター型データ伝送方法。
【請求項２】
　ハブ装置に対して伝送路を介してスター状に複数の局装置を接続し、これら局装置のうち１つの局装置の送信権が終了すると、前記ハブ装置からダミーフレームを送信して予め定められた順番に従って前記送信権を次の前記局装置に移動するスター型データ伝送方法において、
　前記複数の局装置に対して与える前記送信権の時間長を、フレーム同士の衝突によるフレーム再送信可能な時間長に設定することを特徴とするスター型データ伝送方法。
【請求項３】
　前記局装置の送信権終了直前にフレームが送信されると、このフレームの送信後に前記ハブ装置から一定時間だけダミーフレームを送信し、この後に次の前記局装置に前記送信権を移動することを特徴とする請求項２に記載のスター型データ伝送方法。
【請求項４】
　ハブ装置に対して伝送路を介してスター状に複数の局装置を接続し、これら局装置のうち１つの局装置の送信権が終了すると、前記ハブ装置からダミーフレームを送信して予め定められた順番に従って送信権を次の前記局装置に移動するスター型データ伝送装置において、
　前記局装置の送信権終了後で次の前記局装置に送信権を移す前に、前記複数の局装置に対して前記送信権を与えない時間帯を設定する手段を備えたことを特徴とするスター型データ伝送装置。
【請求項５】
　前記局装置の送信権終了後で次の前記局装置に送信権を移す前に、前記ハブ装置から前記複数の局装置に対して所定の時間だけダミーフレームを送信する手段を備えたことを特徴とする請求項４に記載のスター型データ伝送装置。
【請求項６】
　ハブ装置に対して伝送路を介してスター状に複数の局装置を接続し、これら局装置のうち１つの局装置の送信権が終了すると、前記ハブ装置からダミーフレームを送信して予め定められた順番に従って送信権を次の前記局装置に移動するスター型データ伝送装置において、
　前記複数の局装置に対して与える送信権の時間長を、フレーム同士の衝突によるフレーム再送信可能な時間長に設定する手段と、
　送信権を移動する前記次の局装置に対してフレームの送信を一定時間待たせる手段とを備えたことを特徴とするスター型データ伝送装置。
【発明の詳細な説明】
【技術分野】
【０００１】
　本発明は、ハブ（HUB）装置に対して伝送路を介してスター状に複数の局装置を接続し、ある局装置の送信権が終了すると、ハブ装置からダミーフレームを送信して予め定められた順番に従って送信権を次の局装置に移動するスター型データ伝送方法及びその装置に関する。
【背景技術】
【０００２】
　現在、ローカエリアネットワーク（ＬＡＮ）の主流であるIEEE802.3 方式［イーサネット（登録商標）］は、ＣＳＭＡ／ＣＤ（Carrier Sense Multiple Access/Collision Detect）というメディアアクセス制御を行っている。
【０００３】
　このＣＳＭＡ／ＣＤは、各局装置が共通伝送路に伝送される信号を監視し、一定時間空きがあれば送信し、空きがなければ空きがでるまで送信を遅らせる。又、このＣＳＭＡ／ＣＤは、フレームの送信中も他局装置とのフレームの衝突がないかを監視し、これらフレーム同士の衝突が起きればフレームの送信を中断し、定められた時間遅れて再度フレームを送信する。
【０００４】
　このようなＣＳＭＡ／ＣＤ動作であるので、伝送路の使用率が高くなってくると、他局装置の各フレーム同士の衝突が頻繁に起きたり、いつまでもフレームの送信ができない場合が発生する。
【０００５】
　このような事からＣＳＭＡ／ＣＤは、フレーム伝送にあたってリアルタイム性が要求される用途には向いていない。
【０００６】
　これに対し、一定時間内に確実に情報の交換が可能というリアルタイム性を実現し、かつ標準に準拠したＣＳＭＡ／ＣＤ方式の局装置がそのまま使用できる方式が例えば特願平８−５１９８４号「スター型データ伝送装置」に提案されている。
【０００７】
　このスター型データ伝送装置は、通常、ダミーフレームを利用して各局装置の送信権を制御し、各フレーム同士の衝突は発生しない。
【発明の開示】
【発明が解決しようとする課題】
【０００８】
　　しかしながら、上記伝送装置では、送信権を与えられた局装置が送信権終了直前にフレームを送信し、かつ次に送信権を与えられた局装置が直ちにフレームを送信すると、これらフレーム同士の衝突が発生してしまう。
【０００９】
　この場合、次に送信権を与えられた局装置が衝突による再送信を行う前に、与えられていた送信権がさらに次の局装置に移動してしまい、先の送信権を与えられた局装置は一定時間内にフレームの送信を行うことが不可能になる虞がある。
【００１０】
　そこで、本発明は、送信権終了直前にフレームが送信された場合でも、次に送信権を与えられた局装置は送信権を与えられている時間内にフレームの送信ができるスター型データ伝送方法及びその装置を提供することを目的とする。
【課題を解決するための手段】
【００１１】
　上記課題を解決するために、請求項１に対応する発明は、ハブ装置に対して伝送路を介してスター状に複数の局装置を接続し、これら局装置のうち１つの局装置の送信権が終了すると、ハブ装置からダミーフレームを送信して予め定められた順番に従って送信権を次の局装置に移動するスター型データ伝送方法において、
　局装置の送信権終了後で次の局装置に送信権を移す前に、複数の局装置に対して前記送信権を与えない時間帯を設定するスター型データ伝送方法である。
【００１２】
　次に、請求項２に対応する発明は、ハブ装置に対して伝送路を介してスター状に複数の局装置を接続し、これら局装置のうち１つの局装置の送信権が終了すると、ハブ装置からダミーフレームを送信して予め定められた順番に従って送信権を次の局装置に移動するスター型データ伝送方法において、
　複数の局装置に対して与える前記送信権の時間長を、フレーム同士の衝突によるフレーム再送信可能な時間長に設定するスター型データ伝送方法である。
【００１３】
　さらに、請求項３に対応する発明は、請求項２に記載のスター型データ伝送方法において、ある局装置の送信権終了直前にフレームが送信されると、このフレームの送信後にハブ装置から一定時間だけダミーフレームを送信し、この後に次の局装置に送信権を移動するスター型データ伝送方法である。
【００１４】
　請求項４に対応する発明は、ハブ装置に対して伝送路を介してスター状に複数の局装置を接続し、これら局装置のうち１つの局装置の送信権が終了すると、ハブ装置からダミーフレームを送信して予め定められた順番に従って送信権を次の局装置に移動するスター型データ伝送装置において、
　局装置の送信権終了後で次の前記局装置に送信権を移す前に、複数の局装置に対して送信権を与えない時間帯を設ける手段を備えたスター型データ伝送装置である。
【００１５】
　請求項５に対応する発明は、請求項４に記載のスター型データ伝送装置において、局装置の送信権終了後で次の局装置に送信権を移す前に、ハブ装置から複数の局装置に対して所定の時間だけダミーフレームを送信する手段を備えたスター型データ伝送装置である。
【００１６】
　請求項６に対応する発明は、ハブ装置に対して伝送路を介してスター状に複数の局装置を接続し、これら局装置のうち１つの局装置の送信権が終了すると、ハブ装置からダミーフレームを送信して予め定められた順番に従って送信権を次の局装置に移動するスター型データ伝送装置において、
　複数の局装置に対して与える送信権の時間長をフレーム同士の衝突によるフレーム再送信可能な時間長に設定する手段と、送信権を移す次の局装置に対してフレームの送信を一定時間待たせる手段とを備えたスター型データ伝送装置である。
【発明の効果】
【００１７】
　本発明の請求項１〜３によれば、送信権終了直前にフレームが送信された場合でも、次に送信権を与えられた局装置は送信権を与えられている時間内にフレームの送信ができるスター型データ伝送方法を提供できる。
【００１８】
　又、本発明の請求項４〜６によれば、送信権終了直前にフレームが送信された場合でも、次に送信権を与えられた局装置は送信権を与えられている時間内にフレームの送信ができるスター型データ伝送装置を提供できる。
【発明を実施するための最良の形態】
【００１９】
　以下、本発明の第１の実施の形態について図面を参照して説明する。
【００２０】
　図１はスター型データ伝送装置の構成図である。
【００２１】
　このスター型データ伝送装置は、ハブ装置１に対して、ＣＳＭＡ／ＣＤの方式のメディアアクセス制御の機能を有する複数の局装置、例えば４つの局装置（Ａ局装置、Ｂ局装置、Ｃ局装置、Ｄ局装置）２〜５がそれぞれ各伝送路（以下、ケーブルと称する）６〜９を介してスター状に接続されている。これらケーブル６〜９は、例えばツイストや光ケーブルが用いられる。
【００２２】
　図２はハブ装置１の具体的な構成図である。なお、同図には、図示する関係上ハブ装置１に対して２つの局装置（Ａ局装置、Ｄ局装置）２、５が接続された場合について示してあり、他のＢ局装置、Ｃ局装置は省略してある。
【００２３】
　伝送監視部１０には、周回タイマ部１１及び外部基準クロック部１２が接続されている。このうち周回タイマ部１１は、各局装置２〜５に送信権を与えるための周回時間を計測する機能を有し、外部基準クロック部１２は、基準クロックを発生する機能を有している。
【００２４】
　伝送監視部１０は、各局装置２〜５の１送信あたりの送信時間や異常状態の監視、切り離し指示、送信権の周回、局装置２、５の優先度などハブ基本機能部１３を通して制御する機能を有している。
【００２５】
　なお、送信権を持つ各局装置２〜５の送信許可時間は、周回タイマ１１によって周回時間から許可される時間と、伝送監視部１０によって１回の送信権あたりに許可される送信時間と最大フレーム数によって与えられる。
【００２６】
　ダミー用タイマ部１４は、ダミーフレームの送信時間を計測してその計測時間をダミー送信制御部１５に送出する機能を有している。
【００２７】
　又、このダミー用タイマ部１４は、ある局装置２〜５の送信権終了後で次の局装置に送信権を移動する前に、全ての局装置２〜５に対して送信権を与えない時間帯を設ける、すなわち全ての局装置２〜５に対してダミーフレームを送信する所定の時間Ｔ2 が設定されている。
【００２８】
　このようにある局装置２〜５の送信権終了後で次の局装置に送信権を移す前に、全ての局装置２〜５に対してダミーフレームを送信することにより、ある局装置から送信権終了直前に送信されたフレームと次に送信権を持つ局装置から送信されたフレームとの衝突を防いでいる。
【００２９】
　ダミー送信制御部１５は、ダミーフレームの送信を制御するため、すなわち各局装置２〜５のうち送信権を与える１つの局装置にダミーフレームを送信せずに、送信権を与えない他の全ての局装置に対してダミーフレームを送信するためのダミーフレーム制御信号ａを送信禁止部１６、１７に送出する機能を有している。
【００３０】
　ダミー発生部１８は、ダミー送信制御部１５からのダミーフレーム制御信号ａを受けて、ダミーフレーム入力信号ｂを発生してハブ基本機能部１３に供給する機能を有している。
【００３１】
　このハブ基本機能部１３には、送信データ線１８を介して各送信禁止部１６、１７が接続されている。
【００３２】
　このうち送信禁止部１６、１７は、それぞれ各トランシーバ部１９、２０、各ケーブル６〜９を介して各局装置２、５が接続され、ダミー送信制御部１５から出力されたダミーフレーム制御信号ａを受けて特定の局装置２、５、すなわち送信権を与える１つの局装置に対してダミーフレームの送信を禁止する機能を有している。
【００３３】
　各トランシーバ部１９、２０は、各局装置２〜５と各ケーブル６、９とをそれぞれ接続する機能を有するもので、これらトランシーバ部１９、２０には、それぞれ受信検出部２１、２２が接続され、さらにこれら受信検出部２１、２２が伝送監視部１０に接続されている。
【００３４】
　上記ハブ基本機能部１３は、受信フレームを中継したり再送信したりする機能を有している。すなわち、ハブ基本機能部１３は、受信データ線２３を通して受信したフレームを入力し、このフレームを送信した局装置の除く全ての局装置にに送信フレームとして送信データ線１８に送信する機能を有している。
【００３５】
　このハブ基本機能部１３は、IEEE802.3 準拠であるＣＳＭＡ／ＣＤ方式のハブコントローラを用いており、このＣＳＭＡ／ＣＤ方式のハブコントローラにリアルタイム性を持たせるためにダミーフレームを用いて特定の１局、すなわち各局装置２〜５のうち１局装置のみに送信権を与える機能を有している。
【００３６】
　すなわち、このハブ基本機能部１３は、ダミーフレームをダミー発生部１８から出力されるダミーフレーム入力信号ｂとして入力し、このダミーフレーム入力信号ｂを送信データ線１８から送信禁止部１６、トランシーバ部１９を通して特定の局装置、すなわち送信権を与える１つの局装置を除いた他の全ての局装置２〜５に送信する機能を有している。
【００３７】
　上記各受信検出部２１、２２は、ハブ基本機能部１３からフレームを送信したときに、ハブ基本機能部１３から送信権を持たない各局装置に送信していたダミーフレームを止めるために、ハブ基本機能部１３から送信したフレームを検出してその受信検出信号ｃを伝送監視部１０に送信し、ダミーフレームの送信を中止させる機能を有している。
【００３８】
　次に上記の如く構成された装置の作用について図３に示す伝送フレームを参照して説明する。
【００３９】
　同図は、ハブ装置１に対して４つの局装置（Ａ，Ｂ、Ｃ、Ｄ局装置）２〜５が接続され、これら局装置２〜５に対し１回の送信権において１つの送信フレームの送信を許可した場合の伝送フレームを示している。
【００４０】
　送信権は、Ａ局装置２から順番にＢ局装置３、Ｃ局装置４、Ｄ局装置５の順で周回し、優先度は設けられていない。
【００４１】
　又、時間経過は図上左側から右側に向かって進むものとする。
【００４２】
　先ず、送信権がＡ局装置２に与えられた場合、ダミー用タイマ部１４は、ダミーフレームの送信時間を計測してその計測時間をダミー送信制御部１５に送出する。
【００４３】
　このダミー送信制御部１５は、各局装置２〜５のうち送信権を与えるＡ局装置２にダミーフレームを送信せずに、送信権を与えない他の全てのＢ、Ｃ、Ｄ局装置３〜５に対してダミーフレームを送信するためのダミーフレーム制御信号ａを送信禁止部１６、１７及びダミー発生部１８に送出する。
【００４４】
　このダミー発生部１８は、ダミー送信制御部１５からのダミーフレーム制御信号ａを受けると、ダミーフレーム入力信号ｂを発生してハブ基本機能部１３に供給する。
【００４５】
　このハブ基本機能部１３は、ダミー発生部１８から出力されたダミーフレーム入力信号ｂを入力し、このダミーフレーム入力信号ｂを送信データ線１８から送信禁止部１６、トランシーバ部１９を通して特定の局装置、すなわち送信権を与えるＡ局装置２を除いた他の全てのＢ、Ｃ、Ｄ局装置３〜５に送信する。
【００４６】
　ここで、Ａ局装置２が送信フレームを送信しなければ、このフレームを送信しない間、ハブ基本機能部１３からはダミーフレームの送信が継続される。
【００４７】
　そして、ダミー用タイマー部１４によって定められた時間Ｔ1が経過し、Ａ局装置２の送信権終了後で次のＢ局装置３に送信権を移動する前になると、ダミー用タイマー部１４は、全てのＡ〜Ｄ局装置２〜５に対してダミーフレームを送信する所定の時間Ｔ2をダミー送信制御部１５に渡す。
【００４８】
　このダミー送信制御部１５は、ダミー用タイマー部１４からのダミーフレームを送信する所定の時間Ｔ2 を受けると、全ての局装置２〜５に対してダミーフレームを送信するためのダミーフレーム制御信号ａを送信禁止部１６、１７及びダミー発生部１８に送出する。
【００４９】
　このダミー発生部１８は、ダミー送信制御部１５からのダミーフレーム制御信号ａを受けて、ダミーフレーム入力信号ｂを発生してハブ基本機能部１３に供給する。
【００５０】
　これにより、ハブ基本機能部１３は、ダミー発生部１８から出力されたダミーフレーム入力信号ｂを入力し、このダミーフレーム入力信号ｂを送信データ線１８から送信禁止部１６、トランシーバ部１９を通して全ての局装置２〜５に送信する。
【００５１】
　この後、ハブ基本機能部１３は、ダミー発生部１８から出力されるダミーフレーム入力信号ｂを送信データ線１８から送信禁止部１６、トランシーバ部１９を通して送信権を与えるＢ局装置３を除いた他の全てのＡ、Ｃ、Ｄ局装置２、３〜５に送信することにより、送信権をＢ局装置３に移動する。
【００５２】
　次に、インターフレーム間隔ＴO を空けた後にダミーフレームが送信されるが、インターフレーム間隔ＴO は、ＣＳＭＡ／ＣＤ方式のインフーフレーム間隔以上空けてはいけない。
【００５３】
　送信権がＢ局装置３に移動すると、このＢ局装置３には送信データがあるので、このＢ局装置３は、ＣＳＭＡ／ＣＤ方式のインフーフレーム間隔以上空けてから送信フレームをハブ装置１に送信する。
【００５４】
　ハブ基本機能部１３では、Ｂ局装置３からの送信フレームを受信検出部２１、２２で検出すると、伝送監視部１０の動作によりダミーフレームの送信を直ちに中止させ、送信フレームを送信権を持たないＡ、Ｃ、Ｄ局装置２、４、５に送信する。
【００５５】
　そして、ダミー用タイマー部１４によって定められた時間Ｔ1 が経過し、Ｂ局装置３の送信権終了後で次のＣ局装置４に送信権を移動する前になると、上記同様にダミー用タイマー部１４は、全てのＡ〜Ｄ局装置２〜５に対してダミーフレームを送信する所定の時間をダミー送信制御１５に渡すので、所定の時間Ｔ2 だけ全ての局装置２〜５に対してダミーフレームが送信される。
【００５６】
　この後、送信権が次のＣ局装置４に移動する。
【００５７】
　ここで、この送信権を得たＣ局装置４が送信権終了直前にフレームを送信すると、伝送監視部１０は、Ｃ局装置４から送信されたフレームが到着する前に、このＣ局装置４の送信権を終了させる。
【００５８】
　これと共に、ダミー用タイマー部１４は、上記同様に、全てのＡ〜Ｄ局装置２〜５に対してダミーフレームを送信する所定の時間Ｔ2 をダミー送信制御１５に渡すので、所定の時間Ｔ2 だけＣ局装置４を含めた全ての局装置２〜５に対してダミーフレームが送信される。
【００５９】
　このようにＣ局装置４の送信権終了後で次のＤ局装置５に送信権を移動する前になると、全ての局装置２〜５に対してダミーフレームが送信されるので、このダミーフレームとＣ局装置４から送信されたフレームとの衝突が発生する。
【００６０】
　なお、このC局装置４は、ハブ装置を介してフレームの衝突を検出すると、送信されたフレームの再送信をあきらめ、次に送信権を得たときに衝突された送信フレームを再送信する。
【００６１】
　この衝突終了後、送信権はD局装置５に移動する。そして、D局装置５の送信権が終了すると、再び送信権はA局装置２に移動し、送信権がA〜D局装置２〜５間に周回する。
【００６２】
　このように上記第１の実施の形態においては、ダミー用タイマ部１４に、ある局装置２〜５の送信権終了後で次の局装置に送信権を移す前に、全ての局装置２〜５に対してダミーフレームを送信する所定の時間Ｔ2 を設定し、そのときに全ての局装置２〜５に対してダミーフレームを送信するので、例えばＣ局装置４から送信権終了直前に送信されたフレームと次に送信権を持つＤ局装置５から送信されたフレームとが衝突することがなくなり、次に送信権を持つＤ局装置５は、送信権を得てから直ぐにフレームを送信することができる。
【００６３】
　以下、本発明の第２の実施の形態について説明する。
【００６４】
　この第２の実施の形態は、上記第１の実施の形態で説明した図１及び図２に示す構成と同一であり、その異なるところはダミーフレームの制御方法となっている。
【００６５】
　図２に示す構成のスター型データ伝送装置のハブ装置１を用いて説明すると、ダミー用タイマ部１４には、各局装置２〜５に対して与える送信権の時間長を、フレーム同士の衝突による再送信が可能な時間長にして設定されている。
【００６６】
　具体的には、各局装置２〜５に与える送信権の長さをIEEE802.3 に定められた衝突による再送信可能な時間Ｔ4 に設定されている。
【００６７】
　従って、ハブ装置１は、ダミー用タイマ部１４により各局装置２〜５に対して与える送信権の時間長をフレームの再送信可能な所定の時間長に設定することから、送信権を移す次の局装置に対してフレームの送信を一定時間待たせる機能を有するものとなる。
【００６８】
　次に、上記の如く構成された装置の作用について図４に示す伝送フレームを参照して説明する。
【００６９】
　先ず、送信権がＡ局装置２に与えられた場合、ダミー用タイマ部１４は、ダミーフレームの送信時間を計測してその計測時間をダミー送信制御部１５に送出する。
【００７０】
　このダミー送信制御部１５は、各局装置２〜５のうち送信権を与えるＡ局装置２にダミーフレームを送信せずに、送信権を与えない他の全てのＢ、Ｃ、Ｄ局装置３〜５に対してダミーフレームを送信するためのダミーフレーム制御信号ａを送信禁止部１６、１７及びダミー発生部１８に送出する。
【００７１】
　このダミー発生部１８は、ダミー送信制御部１５からのダミーフレーム制御信号ａを受けると、ダミーフレーム入力信号ｂを発生してハブ基本機能部１３に供給する。
【００７２】
　このハブ基本機能部１３は、ダミー発生部１８から出力されたダミーフレーム入力信号ｂを入力し、このダミーフレーム入力信号ｂを送信データ線１８から送信禁止部１６、トランシーバ部１９を通して特定の局装置、すなわち送信権を与えるＡ局装置２を除いた他の全てのＢ、Ｃ、Ｄ局装置３〜５に送信する。
【００７３】
　Ａ局装置２が送信フレームを送信しない間、上記同様にハブ基本機能部１３からはダミーフレームの送信が継続される。
【００７４】
　そして、ダミー用タイマー部１４によって定められた時間Ｔ3 が経過すると、ハブ基本機能部１３からのダミーフレームの送信が終了し、送信権を次のＢ局装置３に移動する。
【００７５】
　すなわち、ハブ基本機能部１３は、ダミー発生部１８から出力されるダミーフレーム入力信号ｂを送信データ線１８から送信禁止部１６、トランシーバ部１９を通して送信権を与えるＢ局装置３を除いた他の全てのＡ、Ｃ、Ｄ局装置２、４、５に送信することにより、送信権をＢ局装置３に移動する。
【００７６】
　なお、このとき局装置2に対して与える送信権の時間長は、ダミー用タイマー部１４に設定されているフレーム同士の衝突による再送信が可能な時間長Ｔ4とする。
【００７７】
　次に、インターフレーム間隔ＴO を空けた後にダミーフレームが送信されるが、インターフレーム間隔ＴO は、ＣＳＭＡ／ＣＤ方式のインフーフレーム間隔以上空けてはいけない。
【００７８】
　送信権がＢ局装置３に移動すると、このＢ局装置３には送信データがあるので、このＢ局装置３は、ＣＳＭＡ／ＣＤ方式のインフーフレーム間隔以上空けてから送信フレームをハブ基本機能部１３に送信する。
【００７９】
　ハブ基本機能部１３では、Ｂ局装置３からの送信フレームを受信検出部２１、２２で検出すると、伝送監視部１０の動作によりダミーフレームの送信を直ちに中止させ、送信フレームを送信権を持たないＡ、Ｃ、Ｄ局装置２、４、５に送信する。
【００８０】
　この送信フレームの送信の後、送信権が次のＣ局装置４に移動する。
【００８１】
　ここで、この送信権を得たＣ局装置４が送信権終了直前にフレームを送信すると、このとき既に伝送監視部１０は、Ｃ局装置４から送信されたフレームが到着する前に、このＣ局装置４の送信権を移動させている。
【００８２】
　このような場合、上記の如くダミー用タイマ部１４には、各局装置２〜５に対して与える送信権の時間長を、フレーム同士の衝突による再送信が可能な時間長Ｔ4 にして設定しているので、ハブ基本機能部１３からは、この時間長Ｔ4 だけ送信権を与えるＣ局装置４を除いた他の全てのＡ、Ｂ、Ｄ局装置２、３、５にダミーフレームが送信される。
【００８３】
　これによりＣ局装置４は、送信フレームを送信する。
【００８４】
　Ｄ局装置５は、Ｃ局装置４の送信権が終了するまでの一定時間待ってから送信権を得て、フレームの送信を行う。そして、Ｄ局装置５の送信権が終了すると、再び送信権はＡ局装置２に移動し、送信権がＡ〜Ｄ局装置２〜５間に周回する。
【００８５】
　このように上記第２の実施の形態においては、ダミー用タイマ部１４に各局装置２〜５に対して与える送信権の時間長を、フレーム同士の衝突による再送信が可能な時間長に設定したので、例えばＣ局装置４から送信権終了直前に送信されたフレームと次に送信権を持つＤ局装置５から送信されたフレームとが衝突することがなくなり、Ｃ局装置４は許可時間内にフレームの再送信ができる。
【００８６】
　さらに、本発明の第３の実施の形態について説明する。なお、図１及び図２と同一部分には同一符号を付してその詳しい説明は省略する。
【００８７】
　図５はスター型データ伝送装置のハブ装置の具体的な構成図である。
【００８８】
　このスター型データ伝送装置は、上記第１の実施の形態に対し、ある局装置２〜５の送信権終了と同時に、送信権の与えられていた局装置の送信側をケーブル６、９から切り離すもので、ある局装置２〜５の送信権終了と同時にゲート制御信号ｄを送出するゲート制御部３０と、このゲート制御部３０から送出されたゲート制御信号ｄを受けて各局装置２〜５との受信側のラインを切り離す受信禁止部３１、３２とを追加した構成となっている。
【００８９】
　すなわち、ある局装置の送信権終了と同時にゲート制御部３０からゲート制御信号ｄを各受信禁止部３１、３２に送信し、各局装置２〜５からのフレームを受信禁止部３１、３２で停止させ、ハブ基本機能部１３に伝達しないものとなっている。
【００９０】
　次に上記の如く構成された装置の作用について図６に示す伝送フレームを参照して説明する。
【００９１】
　先ず、送信権がＡ局装置２に与えられた場合、上記実施の形態と同様に、ハブ基本機能部１３からは、ダミー発生部１８から出力されたダミーフレーム入力信号ｂを送信データ線１８から送信禁止部１６、トランシーバ部１９を通して特定の局装置、すなわち送信権を与えるＡ局装置２を除いた他の全てのＢ、Ｃ、Ｄ局装置３〜５に送信する。
【００９２】
　Ａ局装置２が送信フレームを送信しない間、ハブ基本機能部１３からはダミーフレームの送信が継続され、ダミー用タイマー部１４によって定められた時間Ｔ3 が経過すると、ハブ基本機能部１３からのダミーフレームの送信が終了し、送信権を次のＢ局装置３に移動する。
【００９３】
　次に、インターフレーム間隔ＴO を空けた後にダミーフレームが送信されるが、インターフレーム間隔ＴO は、ＣＳＭＡ／ＣＤ方式のインフーフレーム間隔以上空けてはいけない。
【００９４】
　送信権がＢ局装置３に移動すると、このＢ局装置３には送信データがあるので、このＢ局装置３は、ＣＳＭＡ／ＣＤ方式のインフーフレーム間隔以上空けてから送信フレームをハブ基本機能部１３に送信する。
【００９５】
　このハブ基本機能部１３では、Ｂ局装置３からの送信フレームを受信検出部２１、２２で検出すると、伝送監視部１０の動作によりダミーフレームの送信を直ちに中止させ、送信フレームを送信権を持たない各局装置２、４、５に送信する。
【００９６】
　この送信フレームの送信の後、送信権が次のＣ局装置４に移動する。
【００９７】
　ここで、この送信権を得たＣ局装置４が送信権終了直前にフレームを送信した場合、ゲート制御部３０は、伝送監視部１０からの指令によりＣ局装置４の送信権終了と同時にゲート制御信号ｄを受信禁止部３１、３２に送出する。
【００９８】
　これら受信禁止部３１、３２は、ゲート制御部３０から送出されたゲート制御信号ｄを受けて各局装置２〜５との受信側のラインを切り離すので、Ｃ局装置４から送信権終了直前に送信したフレームは、ハブ基本機能部１３に到達しない。
【００９９】
　これによりＤ局装置５は、送信権の獲得の後直ちにフレームの送信が可能になる。
【０１００】
　そして、Ｄ局装置５の送信権が終了すると、再び送信権はＡ局装置２に移動し、送信権がＡ〜Ｄ局装置２〜５間に周回する。
【０１０１】
　このように上記第３の実施の形態においては、ある局装置２〜５の送信権終了と同時に、送信権の与えられていた局装置の送信側をケーブル６、９から切り離すうにしたので、例えばＣ局装置４から送信権終了直前に送信されたフレームと次に送信権を持つＤ局装置５から送信されたフレームとが衝突することがなくなり、Ｄ局装置４は送信権獲得の直後にフレームを送信することが可能になる。
【図面の簡単な説明】
【０１０２】
【図１】本発明に係わるスター型データ伝送装置の第１の実施の形態を示す構成図。
【図２】同伝送装置におけるハブ装置の具体的な構成図。
【図３】同伝送装置の伝送フレームの一例を示す図。
【図４】本発明に係わるスター型データ伝送装置の第２の実施の形態の伝送フレームの一例を示す図。
【図５】本発明に係わるスター型データ伝送装置の第３の実施の形態のハブ装置の具体的な構成図。
【図６】同伝送装置の伝送フレームの一例を示す図。
【符号の説明】
【０１０３】
　１…ハブ装置、２〜５…局装置、６〜９…伝送路（ケーブル）、１０…伝送監視部、１１…周回タイマ部、１２…外部基準クロック部、１３…ハブ基本機能部、１４…ダミー用タイマ部、１５…ダミー送信制御部、１６，１７…送信禁止部、１８…ダミー発生部、１９，２０…トランシーバ部、２１，２２…受信検出部、３０…ゲート制御部、３１，３２…受信禁止部。
【図１】
2004007849.tif 000003
【図２】
2004007849.tif 000004
【図３】
2004007849.tif 000005
【図４】
2004007849.tif 000006
【図５】
2004007849.tif 000007
【図６】
2004007849.tif 000008